(57)【特許請求の範囲】
【請求項１】
経編地糸（２）により編成された複数列の経編地組織（Ｗ・Ｗ…）が、経方向に沿って並列されており、かつ、これら経編地組織（Ｗ・Ｗ…）の間に亙り、第一色糸（11）及び第二色糸（12）がそれぞれ緯方向に挿入されて編み込まれた編成体であって、
前記第一色糸（11）及び第二色糸（12）は、それぞれ色相が異なると共に、各色糸（11・12）同士が平行状態に引き揃えられており、かつ、第一色糸（11）及び第二色糸（12）がコース方向に対して交互に並ぶように各コースに緯方向に挿入されている一方、
ブラインド糸（３）が、前記各色糸（11・12）と並行して緯方向に挿入され、かつ、各列における一組の色糸（11・12）の両方の表面に当接しつゝ斜めに配設されており、
このブラインド糸（３）により、経編地組織（Ｗ）の表面を真上以外の方向から見たとき、前記ブラインド糸（３）が奥側に配置される色糸を隠蔽し、かつ、手前側の色糸を視認可能にすることによって、見る方向により第一色糸（11）または第二色糸（12）の何れか一方の色相が主として現出する玉虫色調外観を呈することを特徴とする玉虫色調編成体。
【請求項２】
経編地糸（２）により編成された経編地組織（Ｗ）が鎖編組織である一方、
ブラインド糸（３）が、第一色糸（11）及び第二色糸(12)と並行して緯方向へジグザグに折り返された状態で挿入され、かつ、このブラインド糸（３）は、各列における一組の色糸（11・12）の両方の表面に当接しつゝ斜めに配設されており、側方に並行する経編地組織（Ｗ）に編絡して、これら経編地組織（Ｗ・Ｗ）同士を勾引状態に接結していることを特徴とする請求項１記載の玉虫色調編成体。
【請求項３】
ブラインド糸（３）が、少なくとも２針以上の振りで経編地組織（Ｗ・Ｗ）に亙り緯方向に挿入されていることを特徴とする請求項２記載の玉虫色調編成体。
【請求項４】
経編地糸（２）により編成された複数列の経編地組織（Ｗ・Ｗ…）が、経方向に沿って並列されており、かつ、これら経編地組織（Ｗ・Ｗ…）の間に亙り、第一色糸（11）及び第二色糸（12）がそれぞれ緯方向に挿入されて編み込まれた編成体であって、
第一色糸（11）及び第二色糸（12）は、それぞれ色相が異なり、これら各色糸（11・12）同士が平行状態に引き揃えられており、かつ、第一色糸（11）及び第二色糸（12）がコース方向に対して交互に並ぶように各コースに緯方向に挿入されている一方、
ブラインド糸（３）が、経編地糸（２）の一部位として一体に形成されると共に、このブラインド糸（３）を含む経編地糸（２）は、トリコット編組織により編成され、かつ、トリコット編組織のブラインド糸（３）部分は、各列における一組の色糸（11・12）の両方の表面に当接しつゝ斜めに配設されており、
このブラインド糸（３）により、経編地組織（Ｗ）の表面を真上以外の方向から見たとき、前記ブラインド糸（３）が奥側に配置される色糸を隠蔽し、かつ、手前側の色糸を視認可能にすることによって、見る方向により第一色糸（11）または第二色糸（12）の何れか一方の色相が主として現出する玉虫色調外観を呈することを特徴とする玉虫色調編成体。
【請求項５】
第一色糸（11）および第二色糸（12）が、それぞれ緯方向の全幅に亙って挿入されていることを特徴とする請求項１〜４の何れか一つに記載の玉虫色調編成体。
【請求項６】
第一色糸（11）および第二色糸（12）が、ブライトタイプの異形断面のマルチフィラメント糸であることを特徴とする請求項１〜５の何れか一つに記載の玉虫色調編成体。
【請求項７】
第一色糸（11）および第二色糸（12）と共に、表面に金属蒸着部位を有する反射スリット糸が緯挿入されていることを特徴とする請求項１〜６の何れか一つに記載の玉虫色調編成体。
【請求項８】
経編地の長手方向に弾性糸（４）が挿入されており、この弾性糸（４）の伸縮により玉虫色調の外観が変化することを特徴とする請求項１〜７の何れか一つに記載の玉虫色調編成体。
【発明の詳細な説明】
【技術分野】
【０００１】
本発明は、衣料用素材の改良、更に詳しくは、生地の表面に玉虫色調の美しい外観を発揮させることができ、かつ、スポーツウエアやニットウエアなどの伸縮性を要する衣料の使用に好適な玉虫色調編成体に関するものである。
【背景技術】
【０００２】
布帛の表面に玉虫色の色調を表現する方法として、従来、織物の経糸または緯糸に２色の糸を用いて交互に配列するものが知られており（例えば、特許文献１参照）、また、織物の経糸と緯糸とに異なる組成の糸を用いてこれらの染色差を用いるものも知られている（例えば、特許文献２参照）。
【０００３】
これらの方法によれば、玉虫色の視覚効果が得られるものの、織物構造であるために伸縮性がなく、伸縮性が要求されるスポーツ衣料やカジュアルウエアなどの用途には不向きである。
【０００４】
次に、織物組織によって異色の２本の織糸の間に浮糸（ブラインド糸）を設け、見る方向に対して浮糸の後方下に位置する糸が隠れるために反対側から見た場合とは色相の違いが出て、より変化の大きい玉虫効果が得られる構造のものが提案されている（例えば、特許文献３参照）。
【０００５】
しかしながら、かかる構造は、隣接する同方向の経糸または緯糸と並行しているので、使用を繰り返すうちに、面方向にかかる圧力などによって、浮糸が隣接糸の間に落ち込んでしまい、奥側が隠れなくなって玉虫色の色調効果が減少するおそれがある。
【０００６】
また、浮糸の延びる方向から織物面を見る場合、見る角度を変えても浮糸に隣接する異色の両糸の見える割合が同じになるため、色調に変化が生じず、所望の玉虫効果が得られないという問題もあった。
【先行技術文献】
【特許文献】
【０００７】
【特許文献１】特開２００１−３３６０４１号公報
【特許文献２】特開平８−６０５６３号公報
【特許文献３】特開昭４９−１１７７６４号公報
【発明の概要】
【発明が解決しようとする課題】
【０００８】
本発明は、従来の衣料用素材に上記のような問題があったことに鑑みて為されたものであり、その目的とするところは、生地の表面に玉虫色調の美しい外観を発揮させることができ、かつ、スポーツウエアやニットウエアなどの伸縮性を要する衣料の使用に好適な玉虫色調編成体を提供することにある。
【課題を解決するための手段】
【０００９】
本発明者が上記課題を解決するために採用した手段を添付図面を参照して説明すれば次のとおりである。
【００１０】
即ち、本発明は、経編地糸２により編成された複数列の経編地組織Ｗ・Ｗ…を、経方向に沿って並列して、かつ、これら経編地組織Ｗ・Ｗ…の間に亙り、第一色糸11及び第二色糸12をそれぞれ緯方向に挿入して編み込んだ編成体であって、
前記第一色糸11及び第二色糸12は、それぞれ色相が異なると共に、各色糸11・12同士を平行状態に引き揃えて構成し、かつ、第一色糸11及び第二色糸12をコース方向に対して交互に並ぶように各コースに緯方向に挿入する一方、
ブラインド糸３を、前記各色糸11・12と並行して緯方向に挿入し、かつ、各列における一組の色糸11・12の両方の表面に当接しつゝ斜めに配設して、
このブラインド糸３により、経編地組織Ｗの表面を真上以外の方向から見たとき、前記ブラインド糸３が奥側の色糸を隠蔽して、かつ、手前側の色糸を視認可能にすることによって、見る方向により第一色糸11または第二色糸12の何れか一方の色相が主として現出する玉虫色調外観を呈するようにするという技術的手段を採用したことによって、玉虫色調編成体を完成させた。
【００１１】
また、本発明は、上記課題を解決するために、必要に応じて上記手段に加え、経編地糸２により編成された経編地組織Ｗを鎖編組織にする一方、
ブラインド糸３を、第一色糸11及び第二色糸12と並行して緯方向へジグザグに折り返された状態で挿入して、かつ、このブラインド糸３を、各列における一組の色糸11・12の両方の表面に当接しつゝ斜めに配設して、側方に並行する経編地組織Ｗに編絡して、これら経編地組織Ｗ・Ｗ同士を勾引状態に接結するという技術的手段を採用した。
【００１２】
更にまた、本発明は、上記課題を解決するために、必要に応じて上記手段に加え、ブラインド糸３を、少なくとも２針以上の振りで経編地組織Ｗ・Ｗに亙り緯方向に挿入するという技術的手段を採用した。
【００１３】
更にまた、本発明は、上記課題を解決するために、必要に応じて上記手段に替えて、ブラインド糸３を、経編地糸２の一部位として一体に形成すると共に、このブラインド糸（３）を含む経編地糸２を、トリコット編組織により編成し、かつ、トリコット編組織のブラインド糸３部分を、各列における一組の色糸11・12の両方の表面に当接しつゝ斜めに配設するという技術的手段を採用した。
【００１５】
更にまた、本発明は、上記課題を解決するために、必要に応じて上記手段に加え、第一色糸11および第二色糸12を、それぞれ緯方向の全幅に亙って挿入するという技術的手段を採用した。
【００１６】
更にまた、本発明は、上記課題を解決するために、必要に応じて上記手段に加え、ブラインド糸３を、少なくとも２針以上の振りで経編地組織Ｗ・Ｗに亙り緯方向に挿入するという技術的手段を採用した。
【００１７】
更にまた、本発明は、上記課題を解決するために、必要に応じて上記手段に加え、第一色糸11および第二色糸12を、ブライトタイプの異形断面のマルチフィラメント糸にするという技術的手段を採用した。
【００１８】
更にまた、本発明は、上記課題を解決するために、必要に応じて上記手段に加え、第一色糸11および第二色糸12と共に、表面に金属蒸着部位を有する反射スリット糸を緯挿入するという技術的手段を採用した。
【００１９】
更にまた、本発明は、上記課題を解決するために、必要に応じて上記手段に加え、経編地の長手方向に弾性糸４を挿入して、この弾性糸４の伸縮により玉虫色調の外観が変化するようにするという技術的手段を採用した。
【発明の効果】
【００２０】
本発明にあっては、色糸束は、それぞれ色相の異なる第一色糸および第二色糸とから成り、これら各色糸同士を平行状態に引き揃えて構成して、かつ、この色糸束の各色糸が交互に並ぶように各コースに緯方向に挿入する一方、
ブラインド糸を、前記色糸束と並行して、かつ、各列の色糸束における一組の各色糸の両方の表面に当接しつゝ斜めに配設して、このブラインド糸により、前記色糸束における可視面側から奥側の色糸を隠蔽して、かつ、手前側の色糸を視認可能にすることによって、第一色糸または第二色糸の何れか一方の色相が主として現出する玉虫色調外観を呈することができる。
【００２１】
したがって、本発明の玉虫色調編成体によれば、生地の表面に玉虫色調の美しい外観を発揮させることができ、かつ、スポーツウエアやニットウエアなどの伸縮性を要する衣料の使用に好適であることから、衣料用素材としての実用的利用価値は頗る高いものがあると云える。
【図面の簡単な説明】
【００２２】
【図１】本発明の第１実施形態の玉虫色調編成体の構造を表わす概略正面図である。
【図２】本発明の第１実施形態の玉虫色調編成体の構造を表わす拡大正面図である。
【図３】本発明の第１実施形態の玉虫色調編成体を表わす拡大斜視図である。
【図４】本発明の第１実施形態の玉虫色調編成体の構造を表わす部分断面図である。
【図５】本発明の第１実施形態の玉虫色調編成体の組織図である。
【図６】本発明の実施形態の玉虫色調編成体の製造工程を表す部分斜視図である。
【図７】本発明の第１実施形態の玉虫色調編成体の変形例の組織図である。
【図８】本発明の第２実施形態の玉虫色調編成体の構造を表わす拡大正面図である。
【図９】本発明の第２実施形態の玉虫色調編成体を表わす拡大斜視図である。
【図１０】本発明の第２実施形態の玉虫色調編成体の組織図である。
【図１１】本発明の第３実施形態の玉虫色調編成体の構造を表わす拡大正面図である。
【図１２】本発明の第３実施形態の玉虫色調編成体の構造を表わす拡大正面図である。
【図１３】本発明の第３実施形態の玉虫色調編成体を表わす拡大斜視図である。
【図１４】本発明の第３実施形態の玉虫色調編成体の組織図である。
【発明を実施するための形態】
【００２３】
本発明を実施するための形態を、具体的に図示した図面に基づいて更に詳細に説明すると、次のとおりである。
【００２４】
『第１実施形態』
本発明の第１実施形態を図１から図７に基づいて説明する。図１中、符号１で指示するものは色糸束であり、この色糸束１は、それぞれ色相の異なる第一色糸11および第二色糸12とから成る。
【００２５】
本実施形態では、色糸束１の第一色糸11および第二色糸12を、ブライトタイプの異形断面のマルチフィラメント糸にすることができ、それぞれ黄緑色とピンク色のものを採用する。また、これらの色糸11・12の好ましい繊度としては用途により異なるが、５０〜７００ｄｔｅｘ程度にする。
【００２６】
また、符号２で指示するものは経編地糸であり、この経編地糸２は、経編地組織Ｗを編成するための糸であって、本実施形態では、ポリエステル等の合成繊維糸を採用する。この際、経編地糸２は地組織を形成するため、前記色糸束１の挿入をなるべく露出させる目的で、比較的細繊度が好ましく、一つの経編地組織Ｗを形成する編糸の合計繊度で１５〜３５０ｄｔｅｘが好ましい。また、前記色糸束１が折り返される編成体の耳部における経編地組織Ｗは、色糸11・12の平行状態が乱れ易く、その乱れ状態を隠蔽する目的で、その部分の編糸の繊度を太くすると良く、好ましい繊度としては一つの編目を形成する編糸の合計繊度が５０〜７００ｄｔｅｘである。
【００２７】
更にまた、符号３で指示するものはブラインド糸であり、このブラインド糸３は、単独糸あるいは前記経編地糸２の一部を構成する糸部材であって、白色や黒色などの前記色糸束１の補色関係に無い色相のものが好ましい。本実施形態では、独立して挿入される単独糸部材である。
【００２８】
しかして、本実施形態の玉虫色調編成体を構成するにあっては、まず、経編地糸２により編成された複数列の経編地組織Ｗ・Ｗ…を、経方向に沿って並列せしめ、最端部には耳組織を構成する。本実施形態では、この経編地組織Ｗを鎖編組織にする。
【００２９】
次に、これら鎖編組織からなる経編地組織Ｗ・Ｗ…の間に亙るように、色糸束１を緯方向に挿入して編み込む。なお、この色糸束１は、それぞれ色相の異なる（本実施形態では黄緑色とピンク色）第一色糸11および第二色糸12とから成り、これら各色糸11・12が平行状態に引き揃えられて構成されている。
【００３０】
そして、この色糸束１の各色糸11・12が、交互に並ぶように各コースに緯方向に挿入されている。この際、外側端部の折り返し部において、各色糸11・12の平行状態の乱れが懸念される場合は、その箇所の経編地組織Ｗをなす経編地糸２の繊度を大きくすることによりこの折り返し部を隠蔽させても良い。
【００３１】
また、本実施形態では、色糸束１の第一色糸11および第二色糸12を、緯方向の全幅に亙って挿入することができる。更に、広幅編地の場合には、編地幅を数セクションに分け、各セクションに各色糸を挿通させて、そのセクション内を折り返しながら挿入させてもよく、あるいは、階段的にアトラス挿入することも当然に可能である。
【００３２】
そして、本実施形態では、独立した糸部材からなる前記ブラインド糸３を前記色糸束１と並行して緯方向に挿入する。この際、このブラインド糸３は、各列の色糸束１における一組の各色糸11・12の両方の表面に当接しつゝ斜めに配設して（図２および図３参照）、側方に並行する経編地組織Ｗ（鎖編組織）にジグザグに折り返されながら編絡して、これら経編地組織Ｗ・Ｗ同士を勾引状態に接結している。
【００３３】
このような構造を採用したことにより、図３の矢印（イ）の方向から見ると、第二色糸12が奥側になってブラインド糸３に隠れるので、手前側の第一色糸11の色相が可視面に主として表出する。なお、このとき、ブラインド糸３の色相との混合色として見える場合もある。逆に、反対方向の矢印（ロ）の方向から見ると手前側の第二色糸12の色相が主として現われる（この場合もブラインド糸３の色相との混合色に成り得る）。更に、真上から見ると、第一色糸11と第二色糸12との混合色（あるいはブラインド糸３も含めた混合色）として目に入る。
【００３４】
すなわち、異色の色糸11・12だけが平行に挿入された経編地よりも、これら色糸11・12の上面に、ブラインド糸３を両方の表面に当接しつゝ斜めに配設させたことにより玉虫効果が大いに発揮される。
【００３５】
また、図３において、見る方向を、色糸束１（色糸11・12）に沿う方向である矢印（ハ）または矢印（ニ）にした場合でも、ブラインド糸３が奥側の色糸を隠蔽する同じ効果があり、どの方向からでも見る角度により見える色相が異なるので、玉虫効果がより一層強化される。
【００３６】
なお、本実施形態におけるブラインド糸３は、少なくとも２針以上の振りで鎖編組織である経編地組織Ｗ・Ｗに亙り緯方向に挿入することができる。
【００３７】
また、ブラインド糸３を配設する斜めの角度としては、色糸11・12の緯挿入方向に対して１０°〜６０°の角度を有していることが好ましく、その角度は編機のゲージ、編成コース密度、ブラインド糸３の緯振り量により決めることができる。
【００３８】
なお、本実施形態では、色糸11・12の２本を交互に挿入したものであるが、２色以上の異なる第三、第四の色糸の配列も含まれる。また、色糸11・12およびブラインド糸３の色については、基本色としては赤、紫、青、緑、黄、白、黒などの単独または組み合わせにすることができる。
【００３９】
このブラインド糸３の存在により、前記色糸束１における可視面側から奥側の色糸を隠蔽して、かつ、手前側の色糸を視認可能にすることによって、見る方向によって、第一色糸11または第二色糸12の何れか一方の色相が主として現出する玉虫色調外観を呈する編成体を完成することができる。
【００４０】
なお、本実施形態では、色糸束１の内部に、表面に金属蒸着部位を有する反射スリット糸を含むようにすることができる。この反射スリット糸は、例えば、ポリエステルフィルムの片面をアルミ蒸着して彩色したフィルムなどが、０．２〜２ｍｍ幅でスリットされた糸条であって、この反射スリット糸自身も玉虫色調を発し、同時に緯挿入された色糸束１との相乗効果を得ることができる。
【００４１】
また、本実施形態では、必要に応じて、編成体の経編地組織Ｗを構成する経編地糸２においても、互いに色相の異なる第一色鎖編み糸と第二色鎖編み糸とから成るようにして、これら第一色鎖編み糸と第二色鎖編み糸とが重なり合って、経編地組織Ｗの編目自身が加法混色外観を呈するようにすることもできる。
【００４２】
この際、一つの経編地組織の編目においても異色の糸（第一色鎖編み糸と第二色鎖編み糸）を編目の中心と外回りに配置させることにより、見る角度により色彩が異なる玉虫色調効果を発揮させることができ、背景となる色糸11・12による玉虫色調効果との相乗効果で、一層の高級感を醸し出させることができる。
【００４３】
なお、玉虫色調効果を発揮する色糸11・12（および色鎖編み糸）の糸種については、特に限定されないが、繊維が直線状に並行した糸条の方が反射光を多く発する点からマルチフィラメント糸が好ましく、さらには入射光に対して乱反射させた方が玉虫色調効果が大きいことから、ブライトタイプの異形断面のマルチフィラメント糸がより好ましいものである。
【００４４】
また、本実施形態では、経編地の長手方向に弾性糸４を挿入して、この弾性糸４の伸縮により玉虫色調の外観が変化するように構成することができ、復元履歴性を良くすることができる。なお、かかる構造は、図７に示すような組織図で表現され、経方向に挿入する箇所は、経編地組織Ｗの内側などである。即ち、筬に弾性糸４を１針挿入させて、編地の長手方向に伸縮性を持たせることによって、見る角度だけでなく伸縮度合による異色の２本の色糸11・12の見え方の違いによる複雑な玉虫色調効果を発揮させることができる。
【００４５】
＜製造方法について＞
第１実施形態の玉虫色調編成体を製造する方法を以下に説明する。まず、経編機を用いて、少なくとも１枚のガイドバーに挿通した経編地糸２で鎖編組織の経編地組織Ｗを形成する一方、異色のフィラメント糸（色糸11・12）を他の少なくとも２枚のガイドバーに色別にそれぞれ挿通して、それぞれのフィラメント（色糸11・12）を特定の編針に対して同一順位で供給しながら同方向の振り運動をさせ、これら異色のフィラメント糸（色糸11・12）を、コース毎に平行状態で前記経編地組織Ｗ（鎖編組織）内に緯挿入させながら編成していく。
【００４６】
また、異色のフィラメント糸（色糸11・12）を挿通したそれぞれの緯挿入ガイドバーの緯振り運動量に、２針間の差を設けると同時に、それぞれのフィラメント糸（色糸11・12）の挿通位置を１針間の差をつけて、それぞれのフィラメント糸（色糸11・12）を特定の編針に対して同一順序で供給させる。
【００４７】
なお、この際、必要に応じて、前記のような経編地組織Ｗ自体にも玉虫色調効果を出す場合には、この経編地組織Ｗを形成する経編地糸２を鎖編糸として、異色のフィラメント糸（色鎖編み糸）を複数の経編地組織形成のガイドバーにそれぞれ挿通して、異色のフィラメント糸（色鎖編み糸）を同一の編針に供給し、これら異色のフィラメント糸（色鎖編み糸）が一個の編目に重なり合うように編成する。
【００４８】
また、本実施形態では、異色のフィラメント糸（色糸11・12）が挿通された複数枚の前記緯挿入用ガイドバーの振り量を、編地の全幅に亙るようにすることもできる。
【００４９】
更にまた、異色のフィラメント糸（色糸11・12）を緯挿入用のガイドバーに等間隔で挿通し、複数枚のガイドバーをこの間隔の振り運動で異色のフィラメント糸（色糸11・12）を平行に緯挿入させることもできる。
【００５０】
本実施形態の組織図は、図５のように示され、筬Ｌ１で経編地組織（鎖編組織）、筬Ｌ２で２針挿入により地組織を形成し、異色の２本の色糸11・12を挿入させた組織に構成する。
【００５１】
また、本実施形態では、ダブルラッセル機を用いて、どちらかの針床に色糸束１を緯挿入させて、編地の片面に玉虫色調効果を発揮させることもできる。また、このダブルラッセル機で、編地の両面に編目を形成することもでき、表裏をほぼ対称とすることにより、編地がカールする現象が生じず、衣料用の装飾テープなどに適した玉虫色調編成体を得ることもできる。
【００５２】
次に、本実施形態における１列針床経編機における編成部分を図６に示す。符号Ｎで指示するものは経編機の編針であり、また、符号Ｌ２、Ｌ３で指示するものは、編針に経糸を導くための経糸ガイドであり、鎖編編成用の経編地糸２が挿通された経糸ガイドＬ１は省略している。
【００５３】
そして、Ｌ２、Ｌ３の経糸ガイドには異色の色糸11・12をそれぞれ挿通し、この際、経糸ガイドＬ３は経糸ガイドＬ２の緯振り運動量よりは２針間分少なく、折り返し部において１針間分経編地の内側（図では右側）で折り返すように、第二色糸12を経糸ガイドＬ３に挿通しておくことにより、第二色糸12は特定の編針に対して常に先行して供給されるので、経編地内への挿入順序が交互となり、色糸11・12が交錯したりすることなく常に平行状態で挿入させることができる。
【００５４】
なお、色糸束１を平行状態に緯挿入するためには、上記したように、緯挿入の振り量を変えず、経糸ガイドＬ２とＬ３の高さを調整して特定の編針への供給高さを変えて挿入させる方法であっても構わない。
【００５５】
また、経糸ガイドによる緯挿入方法には緯方向の振り量に限界があるため、装飾テープなどの細幅テープにおいては全幅に亙って一気に緯挿入させることができるが、広幅の場合は困難になってくるので、１枚の経糸ガイドバーに色糸束１を一定間隔で複数本挿通して、その間隔と同量の緯振りを行うことにより、編地全幅に色糸11・12を配置せしめることが可能となる。
【００５６】
この場合、編地内における色糸11・12の折り返し部が端部（耳部）に存在し、これら２本の色糸11・12の平行状態が乱れることがあるので、その部分は経編地糸２の繊度を太くして隠蔽することができる。
【００５７】
また、図示しないが、経糸のガイドバーを使わずに、アンダーラップのタイミングに広幅の編地全幅に亙って往復動する緯挿入ガイド機構を別途設けることによって、途中で折り返すことなく緯挿入させることもできる。
【００５８】
『第２実施形態』
次に、本発明の第２実施形態を図８から図１０に基づいて説明する。本実施形態では、ブラインド糸３を、経編地糸２の一部位として一体に形成する一方、これら経編地糸２およびブラインド糸３を、トリコット編組織（本実施形態では１／１トリコット編組織）により編成する。
【００５９】
本実施形態では、図８および図９に示すように、経編地糸２の一部位として一体に形成したブラインド糸３部分を、経編地組織Ｗ・Ｗ間における各列の色糸束１における一組の各色糸11・12の両方の表面に当接しつゝ斜めに配設する。
【００６０】
なお、本実施形態のように、ブラインド糸３を、経編地糸２の一部位として一体に形成するパターンは、１／１トリコット編組織のほか、１／２のコード編組織のアンダーラップを利用して、色糸11・12の上面または下面において、これらの両方に少なくとも当接させて斜めに配設することもできる。
【００６１】
このように構成したことによって、このブラインド糸３部分の存在により、前記色糸束１における可視面側から奥側の色糸を隠蔽して、かつ、手前側の色糸を視認可能にすることによって、見る方向によって、第一色糸11または第二色糸12の何れか一方の色相が主として現出する玉虫色調外観を呈する。
【００６２】
『第３実施形態』
本発明の第３実施形態を図１１から図１４に基づいて説明する。本実施形態では、ブラインド糸３が、経編地糸２の一部位として一体に形成するものであり、かつ、これら経編地糸２およびブラインド糸３が、鎖編組織である経編地組織Ｗを形成している。
【００６３】
そして、前記ブラインド糸３部分は、この鎖編組織におけるループ側縁の斜行部に配設されている。本実施形態における経編地は、図１１に示すように編み込んだ後、経方向に絞り込むことによって、この斜行部を形成することができる。
【００６４】
このようにして、本実施形態では、ブラインド糸３部分を、前記色糸束１と並行して、かつ、各列の色糸束１における一組の各色糸11・12の両方の表面に当接しつゝ斜めに配設することができる。
【００６５】
なお、本実施形態では、玉虫色調効果を高めるために、ブラインド糸３部分が、生地の表面積に占める割合を大きくし、経編地組織Ｗ・Ｗ…の間隔を詰めて、多数形成することが好ましく、また、適宜、経編地糸２およびブラインド糸３を細くしたり、打込みを入れたり、経編地糸２およびブラインド糸３の送り量を多くしたり（テンションを緩める）、緯糸の繊度を太くしたりすることができる。
【００６６】
このように構成することによっても、このブラインド糸３部分の存在により、前記色糸束１における可視面側から奥側の色糸を隠蔽して、かつ、手前側の色糸を視認可能にすることによって、見る方向によって、第一色糸11または第二色糸12の何れか一方の色相が主として現出する玉虫色調外観を呈する。
【００６７】
本発明は、概ね上記のように構成されるが、図示の実施形態に限定されるものでは決してなく、「特許請求の範囲」の記載内において種々の変更が可能であって、例えば、色糸束１の色相は、ピンクと黄緑に限らず、赤、紫、青、緑、黄、白、黒などの単独または組み合わせにすることができ、好ましくは補色関係にないものを採用することができる。
【００６８】
また、経編地組織と１／２コード編組織によるクインズコード組織を地組織としても良く、この場合は、１／２コード編組織の編糸が編面と反対面でブラインド糸３が斜めに配設されるので、その面を玉虫色調生地とすることもでき、これら何れのものも本発明の技術的範囲に属する。
【符号の説明】
【００６９】
１    色糸束
11    第一色糸
12    第二色糸
２    経編地糸
Ｗ    経編地組織
３    ブラインド糸
４    弾性糸
Ｎ    編針
Ｌ１・Ｌ２・Ｌ３  経糸ガイド
【図１】
0005731797.tif 000002
【図２】
0005731797.tif 000003
【図３】
0005731797.tif 000004
【図４】
0005731797.tif 000005
【図５】
0005731797.tif 000006
【図６】
0005731797.tif 000007
【図７】
0005731797.tif 000008
【図８】
0005731797.tif 000009
【図９】
0005731797.tif 000010
【図１０】
0005731797.tif 000011
【図１１】
0005731797.tif 000012
【図１２】
0005731797.tif 000013
【図１３】
0005731797.tif 000014
【図１４】
0005731797.tif 000015